(57)【要約】【課題】トイレ装置の高さを低くして、当該トイレ装置の座面高さを座りやすい高さに設計することができるようにする。【解決手段】トイレ装置の圧送タンク３は、粉砕機構部の下部に、圧縮空気を充填可能に設けられ、粉砕機構部からの汚物流動体が流入する流入口３７と、該流入口３７に流入した汚物流動体を備え付けトイレへ流出する流出口３９と、流入口３７から流出口３９に向かって傾斜する傾斜部３５と、流出口３９へ向かう汚物流動体の流路を折曲させる折曲部３６とを有する。これにより、圧送タンク３の流入口３７から流入した汚物流動体は、傾斜部３５の傾斜により自重で流出口３９に向かって流れる。そして、圧送タンク３は折曲部３６を有しているので、所望の容量を確保しつつ、当該圧送タンク３の設計範囲を広げることができるようになる。この結果、トイレ装置の全高を低く抑えて、座面高さを座りやすい高さに設計することができる。【選択図】図３
2012036687.tif 000002
【特許請求の範囲】
【請求項１】
洗浄水が流入可能で、排泄された汚物と前記洗浄水とを受容する便器本体部と、
前記便器本体部の下部に設けられ、前記便器本体部から流出した前記汚物を粉砕して前記洗浄水と共に汚物流動体と成して流下する粉砕機構部と、
前記粉砕機構部の下部に、圧縮空気を充填可能に設けられ、前記粉砕機構部からの前記汚物流動体が流入する流入口と、該流入口に流入した前記汚物流動体を廃棄場所へ流出する流出口と、前記流入口から前記流出口に向かって傾斜する傾斜部と、前記流出口へ向かう前記汚物流動体の流路を折曲させる折曲部とを有するタンク部とを備えることを特徴とするトイレ装置。
【請求項２】
前記タンク部の流入口は開閉自在な構成とし、
前記タンク部は、
当該タンク部の内部に前記汚物流動体を流入する際に前記流入口を開状態にし、
前記汚物流動体の流入が完了した際に前記流入口を閉状態にすると共に前記圧縮空気が充填され、該充填された圧縮空気により前記汚物流動体を前記流出口から圧送することを特徴とする請求項１に記載のトイレ装置。
【請求項３】
前記タンク部の流入口及び流出口は開閉自在な構成とし、
前記タンク部は、
当該タンク部の内部に前記汚物流動体を流入する際に前記流入口を開状態にすると共に前記流出口を閉状態にし、
前記汚物流動体の流入が完了した際に前記流入口を閉状態にすると共に前記圧縮空気が充填され、前記流出口を開状態にして、該充填された圧縮空気により前記汚物流動体を該流出口から圧送することを特徴とする請求項１に記載のトイレ装置。
【発明の詳細な説明】
【技術分野】
【０００１】
本発明は、家庭や公共施設等に設置される一般的なトイレ装置や、屋外等で簡易的に設置使用されたり、車載用等として使用されたりするポータブルトイレ装置や、介護用のトイレ装置に関するものである。
【背景技術】
【０００２】
従来、介護を必要とする人のために、介護用のポータブルトイレ装置が使用されている。このポータブルトイレ装置は、便座に腰を掛ける腰掛式（所謂洋式）の形態が多い。ポータブルトイレ装置は、汚物を受け入れて排出するための容器を備えた形態や、汚物排水を自然流下で行う形態が一般的である。
【０００３】
特許文献１には、排水管勾配を得られない場所において、強制的に汚物を排出する手段として攪拌手段及び圧縮空気タンクを備えたトイレ装置が開示されている。このトイレ装置によれば、便器本体内を密閉状態にして、便器本体内に設けられた攪拌手段により汚物を流動化して汚物流動体にし、便器本体内に圧縮空気タンクからの圧縮空気を送り込んで汚物流動体を圧送排出する。
【０００４】
特許文献２には、エアーコンプレッサーを備えたトイレ装置が開示されている。このトイレ装置によれば、粉砕装置内を密閉状態にして、粉砕装置により汚物を粉砕して汚物流動体にした後、粉砕装置にエアーコンプレッサーからの圧縮空気を送り込んで汚物流動体を圧送排出する。
【先行技術文献】
【特許文献】
【０００５】
【特許文献１】特許第３９８５３４４号
【特許文献２】特開２００８−８６８８０号公報
【発明の概要】
【発明が解決しようとする課題】
【０００６】
ところで、特許文献１及び２によれば、便器本体内や粉砕装置内を密閉状態にする必要があり、密閉精度を高める必要があった。更に、圧縮空気の圧力に耐えうるように、便器本体や粉砕装置の強度を高める必要があった。
【０００７】
また、上述のように便器本体内や粉砕装置内を密閉状態にするのではなく、粉砕した汚物流動体を一旦タンクに貯留して、このタンクを開閉弁等で密閉した後、当該タンクに圧縮空気を送り込んで汚物流動体を圧送排出する方法がある。このようにすれば、便器本体内や粉砕装置内の強度を高める必要がなくなる。しかしながら、この場合、汚物流動体が貯留可能な容量を有するタンクを便器本体及び粉砕装置の下方に取り付ける必要があるため、トイレ装置の全高が高くなってしまい、当該トイレ装置の座面高さが座り難い高さになる可能性がある。
【０００８】
そこで、本発明は、上述の課題を解決したものであって、トイレ装置の高さを低くして、当該トイレ装置の座面高さを座りやすい高さに設計することができるトイレ装置を提供することを目的とする。
【課題を解決するための手段】
【０００９】
上述の課題を解決するために、本発明に係るトイレ装置は、洗浄水が流入可能で、排泄された汚物と洗浄水とを受容する便器本体部と、便器本体部の下部に設けられ、便器本体部から流出した汚物を粉砕して洗浄水と共に汚物流動体と成して流下する粉砕機構部と、粉砕機構部の下部に、圧縮空気を充填可能に設けられ、粉砕機構部からの汚物流動体が流入する流入口と、該流入口に流入した汚物流動体を廃棄場所へ流出する流出口と、流入口から流出口に向かって傾斜する傾斜部と、流出口へ向かう汚物流動体の流路を折曲させる折曲部とを有するタンク部とを備えることを特徴とするものである。
【００１０】
本発明に係るトイレ装置によれば、便器本体部、粉砕機構部及びタンク部を備える。便器本体部は、洗浄水が流入可能で、排泄された汚物と洗浄水とを受容する。粉砕機構部は、便器本体部の下部に設けられ、便器本体部から流出した汚物を粉砕して洗浄水と共に汚物流動体と成して流下する。
【００１１】
そして、タンク部は、粉砕機構部の下部に、圧縮空気を充填可能に設けられ、粉砕機構部からの汚物流動体が流入する流入口と、該流入口に流入した汚物流動体を廃棄場所へ流出する流出口と、流入口から流出口に向かって傾斜する傾斜部と、流出口へ向かう汚物流動体の流路を折曲させる折曲部とを有する。
【００１２】
これにより、タンク部の流入口から流入した汚物流動体は、傾斜部の傾斜により自重で流出口に向かって流れる。そして、タンク部は折曲部を有しているので、所望の容量を確保しつつ、当該タンク部の設計範囲を広げることができるようになる。
【発明の効果】
【００１３】
本発明に係るトイレ装置によれば、タンク部の設計範囲を広げることができるので、当該トイレ装置の全高を低く抑えて、座面高さを座りやすい高さに設計することができる。
【図面の簡単な説明】
【００１４】
【図１】第１の実施の形態に係る介護用トイレ装置１００の構成例を示す側面断面図である。
【図２】介護用トイレ装置１００の構成例を示す背面図である。
【図３】圧送タンク３の構成例を示す斜視図である。
【図４】圧送タンク３の構成例を示す平面図である。
【図５】圧送タンク３の構成例を示す側面図である。
【図６】第２の実施の形態に係る圧送タンク３Ａの構成例を示す平面図である。
【図７】圧送タンク３Ａの構成例を示す側面図である。
【図８】第３の実施の形態に係る圧送タンク３Ｂの構成例を示す平面図である。
【図９】圧送タンク３Ｂの構成例を示す側面図である。
【図１０】第４の実施の形態に係る圧送タンク３Ｃの構成例を示す平面図である。
【図１１】圧送タンク３Ｃの構成例を示す側面図である。
【発明を実施するための形態】
【００１５】
以下、図面を参照して、本発明に係る実施の形態の一例として、介護用トイレ装置について説明する。介護用トイレ装置は、排泄された汚物や使用済みのトイレットペーパ等を受容する便器本体部の下方に設けられた粉砕機構部で、便器本体部に供給される洗浄水と共に汚物及びトイレットペーパ等を粉砕して排出する、病院の病室や住宅の居間等に設置可能なものである。
【００１６】
＜第１の実施の形態＞  
［介護用トイレ装置１００の構成例］  
最初に、第１の実施の形態に係る介護用トイレ装置１００の構成例について説明する。図１及び図２に示すように、介護用トイレ装置１００は、便器本体部１、粉砕機構部２、圧送タンク３、給水タンク４及び仕切機構部１０で構成される。
【００１７】
給水タンク４は、例えば１．５から３リットルの洗浄水を貯える。この洗浄水は、当該介護用トイレ装置１００が設置されている部屋とは別の部屋にある廃棄場所の一例である備え付けトイレ５（既設の通常のトイレ）から、介護用トイレ装置１００の下後方にあるタンク給水口３１等を介して給水される。
【００１８】
備え付けトイレ５から給水タンク４へ給水する給水管４ｃには給水タンク用電磁弁４ａ及び流量センサ４ｂが設けられる。給水タンク用電磁弁４ａは、図示しない制御部からの指令により開状態になると、備え付けトイレ５からの洗浄水が給水タンク４に給水される。この給水時に給水管４ｃを流れる洗浄水の流量を流量センサ４ｂが積算する。洗浄水が所定の流量だけ流れると、流量センサ４ｂから制御部へ信号を出力して、制御部は、給水タンク用電磁弁４ａを閉状態にして給水タンク４への給水を停止させる。このようにして、給水タンク４に所定量の洗浄水が貯えられる。なお、流量センサの代わりに給水管４ｃに流れる洗浄水の時間を積算するフローセンサを設けても構わない。
【００１９】
給水タンク４の下部にある給水口には給水弁４ｄが設けられる。また、この給水口から便器本体部１の流水口１ｃに向けて給水管４ｅが設けられる。給水弁４ｄが開くと、給水タンク４に貯えられた洗浄水が給水管４ｅを通って、流水口１ｃから便器本体部１の内部に流れ込む。給水タンク４に洗浄水を貯めるときには給水弁４ｄを閉じて、備え付けトイレ５から洗浄水を供給する。
【００２０】
便器本体部１の上方には便蓋１ａ及び便座１ｂが設けられる。便蓋１ａの開閉により介護用トイレ装置１００の各種処理が行われる。便座１ｂには介護用トイレ装置１００の下後方にある便座給水口３２に繋がる図示しない給水管と接続される。便座給水口３２には備え付けトイレ５からの洗浄水が給水されて、便座１ｂから洗浄水が噴出して当該便座１ｂに腰掛けたユーザの臀部等を洗浄する。
【００２１】
便器本体部１は、例えば陶器で構成され、洗浄水が流入する流水口１ｃと、上部から汚物を受け入れる上部開口部１ｄと、下部から洗浄水及び汚物等を排出する下部開口部１ｅとを有する。便器本体部１は、便蓋１ａを開けて便座１ｂに腰掛けたユーザから排泄された汚物を上部開口部１ｄにより受容して、この汚物を流水口１ｃから流水する洗浄水と共に下部開口部１ｅから排出するものである。
【００２２】
便器本体部１の下方には粉砕機構部２が設けられる。粉砕機構部２は、便器本体部１から流出した汚物及び洗浄水が流入する開口部２ａを有する。また、粉砕機構部２は、略円盤状を成して回転する回転歯２ｂと、この回転歯２ｂの下側に設けられ、略円盤状を成して筐体２ｄと一体の固定歯２ｃとを有する。
【００２３】
粉砕機構部２は、便器本体部１から流出した汚物及び洗浄水を開口部２ａから取り込んで、回転歯２ｂを図示しないモータにより回転させる。すると、汚物及び洗浄水は、回転歯２ｂと固定歯２ｃとの間に流入して、回転歯２ｂと固定歯２ｃとの対面しあう凹部及び凸部により粉砕される。この粉砕により、汚物及び洗浄水は汚物流動体となる。
【００２４】
便器本体部１と粉砕機構部２との間には仕切機構部１０が設けられる。仕切機構部１０は、開閉蓋１５によって開口部２ａを開閉して、汚物及び洗浄水等を粉砕機構部２に流入させる。例えば、仕切機構部１０は、ユーザが排泄を済まして便座１ｂから立ち上がり、便蓋１ａを閉じると、開閉蓋１５が図１では左側に移動して開口部２ａを開状態にする。そして、仕切機構部１０は、便器本体部１で受容した汚物及び洗浄水が開口部２ａを通って粉砕機構部２に流入すると、開閉蓋１５が右側に移動して開口部２ａを閉状態にする。
【００２５】
粉砕機構部２の下部にはタンク部の一例である圧送タンク３が設けられる。圧送タンク３は、例えば、円筒形状に加工された金属又は樹脂等で構成されていて、その内径が約６５ｍｍ、その外形が約８０ｍｍで形成されている。圧送タンク３の容量は、３〜５リットル程度である。また、圧送タンク３は、コストを削減するために、安価に市販されている塩化ビニル管で形成しても良い。塩化ビニル管は、軽量で取り扱いが容易であり、水密性等に優れている。
【００２６】
圧送タンク３は、図２に示すエアーコンプレッサー６に接続されて、このエアーコンプレッサー６によって内部に圧縮空気が充填される。このとき、圧送タンク３内の圧縮空気が逆流しないように、流入口３７及び／又は流出口３９に設けられた図示しない弁機構により、流入口３７及び流出口３９が開閉自在なっている。
【００２７】
例えば、圧送タンク３の流入口３７が開閉自在な構成になっているときに、圧送タンク３は、その内部に汚物流動体を流入する際に流入口３７を開状態にする。そして、圧送タンク３は、汚物流動体の流入が完了した際に流入口３７を閉状態にすると共に、エアーコンプレッサー６から圧縮空気が充填され、該充填された圧縮空気により汚物流動体を流出口３９から圧送する。
【００２８】
また、例えば、圧送タンク３の流入口３７及び流出口３９が開閉自在な構成になっているときに、圧送タンク３は、その内部に汚物流動体を流入する際に流入口３７を開状態にすると共に流出口３９を閉状態にする。そして、圧送タンク３は、汚物流動体の流入が完了した際に流入口３７を閉状態にすると共にエアーコンプレッサー６から圧縮空気が充填され、流出口３９を開状態にして、該充填された圧縮空気により汚物流動体を該流出口３９から圧送する。
【００２９】
上述のように流出口３９から圧送された汚物流動体は、介護用トイレ装置１００の下後方にある排水口３３から備え付けトイレ５に向かって排出される。その他圧送タンク３については、図３乃至図５で詳しく説明する。
【００３０】
図２に示すように、介護用トイレ装置１００の下後方にはコンセント３４が設けられる。従来の介護用トイレ装置は、暖房洗浄便座等の電気により駆動するものを追加するときに、暖房洗浄便座の電源コードが短いと、当該介護用トイレ装置を設置する部屋に設けられたコンセントの位置によって、設置場所が制限されてしまい不便であった。また、複数の電気駆動のものを当該介護用トイレ装置に追加すると、電源コードが何本も部屋を這うようになってしまう。
【００３１】
そこで、本発明に係る介護用トイレ装置１００ではコンセント３４を設けた。これにより、暖房洗浄便座等の電源コードをこのコンセント３４に差し込むことで、設置部屋のコンセントの位置に依存されないので当該介護用トイレ装置１００の設置場所が制限されることなく、また、当該介護用トイレ装置１００を設置した部屋に電源コードが何本も這うようなことを防止することができる。
【００３２】
なお、コンセント３４は、図２では１つしか設けていないが、これに限定されず、複数設けても構わない。
【００３３】
［圧送タンク３の構成例］  
次に、圧送タンク３の構成例について説明する。図３乃至図５に示すように、圧送タンク３は、流入口３７、空気送入口３８、流出口３９、傾斜部３５及び折曲部３６（継手）を有する。圧送タンク３は、傾斜部３５及び折曲部３６等を組み合わせて、略Ｊ字形状を成している。
【００３４】
空気送入口３８は、Ｊ字形状の圧送タンク３の一端に設けられ、かつ、本体上部に設けられる。空気送入口３８は、図２に示したエアーコンプレッサー６に接続されており、エアーコンプレッサー６からの圧縮空気を送入する。これにより、圧送タンク３内に圧縮空気が充填される。
【００３５】
流入口３７は、空気送入口３８近傍に、圧送タンク３の本体上部に設けられる。流入口３７は、粉砕機構部２から排出された汚物流動体を流入するものである。
【００３６】
流出口３９は、Ｊ字形状の圧送タンク３の他端に設けられ、かつ、本体下部に設けられる。流出口３９は、図１及び２に示した排水口３３に接続されており、流入口３７に流入した汚物流動体を排水口３３を介して備え付けトイレ５へ流出する。
【００３７】
傾斜部３５は、流入口３７から流出口３９に向かって傾斜している部分を有する。この傾斜角度は、適宜設定可能であるが、本実施の形態では数度に設定されている。これにより、流入口３７から流入した汚物流動体は、傾斜部３５の傾斜により自重で流出口３９に向かって流れる。この結果、汚物流動体を流出口３９側から貯留することができ、圧縮空気によって汚物流動体を流出口３９から効率的に排出させることができる。従って、圧送タンク３内に汚物流動体が残留せず、衛生状態が向上する。
【００３８】
折曲部３６は、流出口３９へ向かう汚物流動体の流路を折曲させるものである。圧送タンクの容量を増加させたい場合には、一般に、圧送タンクの径を大きくする、圧送タンクの長さを長くする、又は、圧送タンクの形状を円筒形状ではなく円柱形状等にする等が考えられる。
【００３９】
しかしながら、圧送タンクの径を大きくすると、圧送タンクの高さが高くなり、介護用トイレ装置の全高が高くなり座り難くなってしまう。また、圧送タンクの長さを長くすると介護用トイレ装置の全長が長くなり、設置場所等が制限されてしまう。更に、圧送タンクの形状を角柱形状等にすると、圧縮空気の圧力に耐えるようにするために製造コストが増加してしまう。
【００４０】
そこで、本実施の形態に係る圧送タンク３は、折曲部３６を設けることにより、圧送タンク３の高さを高くすることなく、圧送タンク３の長さを長くすることなく、また、コストが高い角柱形状を採用することなく、所望の容量を確保しつつ、当該圧送タンク３の設計範囲を広げることができる。これにより、介護用トイレ装置１００の全高を低く抑えて、座面高さ座りやすい高さに設計することができる。
【００４１】
また、折曲部３６により、流路が折曲されると、流動抵抗が増加して、汚物流動体が流動しづらくなるが、圧送タンク３は、上述の傾斜部３５を設けているために、汚物流動体をスムーズに流動させることができる。
【００４２】
このように、第１の実施の形態に係る介護用トイレ装置１００によれば、便器本体部１、粉砕機構部２及び圧送タンク３を備える。便器本体部１は、洗浄水が流入可能で、排泄された汚物と洗浄水とを受容する。粉砕機構部２は、便器本体部１の下部に設けられ、便器本体部１から流出した汚物を粉砕して洗浄水と共に汚物流動体と成して流下する。
【００４３】
そして、圧送タンク３は、粉砕機構部２の下部に、圧縮空気を充填可能に設けられ、粉砕機構部２からの汚物流動体が流入する流入口３７と、該流入口３７に流入した汚物流動体を備え付けトイレ５へ流出する流出口３９と、流入口３７から流出口３９に向かって傾斜する傾斜部３５と、流出口３９へ向かう汚物流動体の流路を折曲させる折曲部３６とを有する。
【００４４】
これにより、圧送タンク３の流入口３７から流入した汚物流動体は、傾斜部３５の傾斜により自重で流出口３９に向かって流れる。そして、圧送タンク３は折曲部３６を有しているので、所望の容量を確保しつつ、当該圧送タンク３の設計範囲を広げることができるようになる。この結果、介護用トイレ装置１００の全高を低く抑えて、座面高さを座りやすい高さに設計することができる。
【００４５】
＜第２の実施の形態＞  
第２の実施の形態では、第１の実施の形態で説明した圧送タンク３の傾斜部３５及び折曲部３６の数を変更して容量を増加させた圧送タンク３Ａについて説明する。第１の実施の形態と同じ名称及び符号のものは同じ機能を有するので、その説明を省略する。
【００４６】
図６及び図７に示すように、圧送タンク３Ａは、流入口３７、空気送入口３８、流出口３９、傾斜部３５及び折曲部３６を有する。圧送タンク３Ａは、傾斜部３５及び折曲部３６等を組み合わせて、略Ｍ字形状を成している。
【００４７】
空気送入口３８は、Ｍ字形状の圧送タンク３Ａの一端（図６では右上）に設けられ、かつ、本体上部に設けられる。流入口３７は、空気送入口３８近傍に、圧送タンク３Ａの本体上部に設けられる。また、流出口３９は、Ｍ字形状の圧送タンク３Ａの他端（図６では右下）に設けられ、かつ、本体下部に設けられる。
【００４８】
このような圧送タンク３ＡのＭ字形状により、圧送タンク３Ａの容量は、前述した圧送タンク３の容量の約２．５倍に増加している。
【００４９】
このように、第２の実施の形態に係る圧送タンク３Ａによれば、略Ｍ字形状を成しているので、前述した圧送タンク３の容量に比べて増加することができる。そして、圧送タンク３Ａの高さは、圧送タンク３の高さと略同じであるので、介護用トイレ装置の座面高さを座りやすい高さに設計することができる。
【００５０】
＜第３の実施の形態＞  
第３の実施の形態では、第１及び第２の実施の形態で説明した折曲部３６を変形例であるＴ字部３６ａを設けた圧送タンク３Ｂについて説明する。第１及び第２の実施の形態と同じ名称及び符号のものは同じ機能を有するので、その説明を省略する。
【００５１】
図８及び図９に示すように、圧送タンク３Ｂは、流入口３７、空気送入口３８、流出口３９、傾斜部３５及び複数の傾斜部３５を折曲させて略Ｔ字形状を成すように連結するＴ字部３６ａを有する。圧送タンク３Ｂは、傾斜部３５及びＴ字部３６ａ等を組み合わせて、略Ｔ字形状を成している。
【００５２】
空気送入口３８は、Ｔ字形状の圧送タンク３Ｂの端部（図８では右端）に設けられ、かつ、本体上部に設けられる。流入口３７は、Ｔ字形状の圧送タンク３Ｂの端部（図８では下端）に設けられ、かつ、本体上部に設けられる。また、流出口３９は、Ｔ字形状の圧送タンク３Ｂの端部（図８では左端）に設けられ、かつ、本体下部に設けられる。
【００５３】
このように、第３の実施の形態に係る圧送タンク３Ｂによれば、傾斜部３５やＴ字部３６ａにより略Ｔ字形状を成しており、前述の圧送タンク３，３Ａと同様に、所望の容量を確保しつつ、介護用トイレ装置の全高を低く抑えて、座面高さを座りやすい高さに設計することができる。
【００５４】
＜第４の実施の形態＞  
第４の実施の形態では、第１及び第２の実施の形態で説明した折曲部３６と、第３の実施の形態で説明したＴ字部３６ａとを組み合わせた圧送タンク３Ｃについて説明する。第１乃至第３の実施の形態と同じ名称及び符号のものは同じ機能を有するので、その説明を省略する。
【００５５】
図１０及び図１１に示すように、圧送タンク３Ｃは、流入口３７、空気送入口３８、流出口３９、傾斜部３５、折曲部３６及びＴ字部３６ａを有する。圧送タンク３Ｃは、傾斜部３５、折曲部３６及びＴ字部３６ａ等を組み合わせて、略Ｆ字形状を成している。
【００５６】
空気送入口３８は、Ｆ字形状の圧送タンク３Ｃの端部（図１０では右下）に設けられ、かつ、本体上部に設けられる。流入口３７は、Ｆ字形状の圧送タンク３Ｃの端部（図１０では中央下）に設けられ、かつ、本体上部に設けられる。また、流出口３９は、Ｆ字形状の圧送タンク３Ｃの端部（図１０では左上）に設けられ、かつ、本体下部に設けられる。
【００５７】
このように、第４の実施の形態に係る圧送タンク３Ｃによれば、傾斜部３５や折曲部３６及びＴ字部３６ａにより略Ｆ字形状を成しており、前述の圧送タンク３，３Ａ，３Ｂと同様に、所望の容量を確保しつつ、介護用トイレ装置の全高を低く抑えて、座面高さを座りやすい高さに設計することができる。
【符号の説明】
【００５８】
１・・・便器本体部、１ａ・・・便蓋、１ｂ・・・便座、１ｃ・・・流水口、１ｄ・・・上部開口部、１ｅ・・・下部開口部、２・・・粉砕機構部、２ａ・・・開口部、２ｂ・・・回転歯、２ｃ・・・固定歯、２ｄ・・・筐体、３，３Ａ，３Ｂ，３Ｃ・・・圧送タンク（タンク部）、４・・・給水タンク、４ａ・・・給水タンク用電磁弁、４ｂ・・・流量センサ、４ｃ，４ｅ・・・給水管、４ｄ・・・給水弁、５・・・備え付けトイレ（廃棄場所）、６・・・エアーコンプレッサー、１０・・・仕切機構部、１５・・・開閉蓋、３１・・・タンク給水口、３２・・・便座給水口、３３・・・排水口、３４・・・コンセント、３５・・・傾斜部、３６・・・折曲部、３６ａ・・・Ｔ字部、３７・・・流入口、３８・・・空気送入口、３９・・・流出口、１００・・・介護用トイレ装置（トイレ装置）
【図１】
2012036687.tif 000003
【図２】
2012036687.tif 000004
【図３】
2012036687.tif 000005
【図４】
2012036687.tif 000006
【図５】
2012036687.tif 000007
【図６】
2012036687.tif 000008
【図７】
2012036687.tif 000009
【図８】
2012036687.tif 000010
【図９】
2012036687.tif 000011
【図１０】
2012036687.tif 000012
【図１１】
2012036687.tif 000013